(57)【特許請求の範囲】
【請求項１】
（イ）コンクリートにより正面略矩形の嵩上げブロック主体が形成され、該嵩上げブロ
ック主体は、下端部に既設のコンクリート躯体の上端に載置されて固着される固着手段が、複数個設けられ、
（ロ）前記固着手段が、
背面および下面が開設されて前記嵩上げブロック主体の下端に複数個が凹設された操作
凹部と、
平面長円形のボルト挿通孔を有し、前記操作凹部に前記コンクリート躯体の上端に重合
可能に設けられる取付板と、
前記操作凹部の左右の側壁部内に縦杆部が埋設可能に前記取付板の左右に対向して設け
られた側面略Ｌ形、または側面略コ形の支持杆と、
前記ボルト挿通孔内に雄ねじ部が挿通されて先端部が前記コンクリート躯体の上端に螺
入される取付ボルトと、により形成されている、
（ハ）ことを特徴とするコンクリート躯体の嵩上げブロック。
【請求項２】
前記嵩上げブロック主体が、下端部に前記コンクリート躯体の幅方向の厚さに略等しい
か、または、前記コンクリート躯体の幅方向の厚さよりも僅かに小寸の、厚さに形成され
た厚肉基端部と、該厚肉基端部の上側には前記嵩上げブロック主体の大部分を占めて形成
され、かつ前記厚肉基端部より厚さが薄く、均質の厚みにて形成された薄肉部と、により
断面略Ｌ形に形成されていることを特徴とする請求項１に記載のコンクリート躯体の嵩上
げブロック。
【請求項３】
前記嵩上げブロック主体は、上端部が長手方向に所望の嵩上げ高さにて切断可能に設け
られていることを特徴としている請求項１、または２に記載のコンクリート躯体の嵩上げ
ブロック。
【請求項４】
前記嵩上げブロック主体は、長手方向の前端部、または後端部の、少なくとも何れか一
方が、切断可能に設けられることにより、長さが調整されることを特徴としている請求項
１〜３の何れかに記載のコンクリート躯体の嵩上げブロック。
【請求項５】
前記嵩上げブロック主体相互は、組付け時に、前記嵩上げブロック主体の対向端相互が
ゴム製の粘着テープ、又は接着剤を介して接続されることを特徴とする請求項１〜４の何
れかに記載のコンクリート躯体の嵩上げブロック。
【請求項６】
前記操作凹部が、前記コンクリート躯体の上端に前記嵩上げブロック主体を前記固着手段を用いて固着後に、セメントモルタル、またはアスファルト、樹脂コンクリートの何れかを用いて埋め込まれることを特徴とする請求項１〜５の何れかに記載のコンクリート躯体の嵩上げブロック。
【発明の詳細な説明】
【技術分野】
【０００１】
本発明はコンクリート躯体の嵩上げブロックに関し、特にコンクリートにより形成されるＬ形擁壁ブロック、擁壁ブロック、勾配可変形のブロック、護岸ブロック、護床ブロック、基礎コンクリート構築物から形成されるコンクリート躯体の施工現場での嵩上げを効率的にしかも構造堅牢に行おうとする。
【背景技術】
【０００２】
従来、擁壁、護岸等の既設のコンクリート躯体の上端の嵩上げを施工現場にて行うためのコンクリート躯体の嵩上げ工法には、出願人が独自に開発したものとして、コンクリート躯体の表面に立設される多数の差筋に左右の側壁部を対向して有する型枠固定金具を所望間隔毎に挿着する工程と、付着手段としてのコーキング層とゴムパッキングとを少なくとも裏面上向に設けた型枠板を前記型枠固定金具の左右の側壁部にコンクリート躯体と略同一厚みのコンクリート打設空隙部を確保して適宜固着手段により固着する工程と、前記差筋に対して横筋を配筋する工程と、前記型枠板間に形成されるコンクリート打設空隙部内に生コンクリートを打設し養生、固化させる際に、生コンクリート内に含まれる混和水のブリーディング水における空隙が生ずるのを前記コーキング層とゴムパッキングとにより阻止する工程と、を含むという構成のものがあった。そして、コンクリート躯体と略同一の均一厚みに形成した型枠板間のコンクリート打設空隙部内に打設される生コンクリートを養生、固化させる際に、生コンクリート内に含まれる混和水が型枠板の内面と生コンクリートの接触面とを横移動し、その後、型枠板に沿って生コンクリートとの接触ブリーディング水が上昇し、生コンクリート内に混和水が通った空隙が生ずるのを前記コーキング層と前記ゴムパッキングとにより防止し、縁切れを無くして構造堅牢な均一厚みのコンクリート構築物を嵩上げするようにしたものである。そして、このコンクリート躯体の嵩上げ工法は、既設のコンクリート躯体の上端に構造堅牢なコンクリート構築物を構築して作業効率良く嵩上げできる点と、型枠板の内面にコンクリートの固化かすが付着されるのが少なく、掻取作業や清掃作業が省略化され、型枠板の廃棄処分を少なくすることができる点で好評を博している（例えば、特許文献１参照）。
【特許文献１】特許第３４３９４３６号公報
【発明の開示】
【発明が解決しようとする課題】
【０００３】
ところで、上記特許文献１に記載の上記従来のコンクリート躯体の嵩上げ工法では、擁壁、護岸等の既設のコンクリート躯体の上端の嵩上げを行うには、施工現場にて既設のコンクリート躯体の表面（上端部）に、天端勾配に合わせて型枠板を対向して組立てる組立作業と、コンクリート躯体の表面に立設される多数の差筋に横筋を配筋するという鉄筋の配筋作業と、前記型枠板間に形成されるコンクリート打設空隙部内に生コンクリートを打設する生コンクリートの打設作業と、生コンクリートを養生、固化させる養生、固化作業と、生コンクリートの養生、固化後の剥型作業と、型枠板の分解作業と、嵩上げされたコンクリート躯体の表面仕上げ作業と、の幾多の工程、労作を必要としているので、施工には長い工期を必要とし、工事費もかなりかかつているのが実情であった。また、上記特許文献１に記載の上記従来のコンクリート躯体の嵩上げ工法では、生コンクリートを施工現場にて打設するものなので、天候に影響を受け易く、できあがる製品の品質を一定に保証するための品質管理や表面仕上げ等、施工管理が難しい。さらには、型枠板を組立てたり、分解するのに、特殊の技能を有する型枠工等による熟練を必要とするものであった。
【０００４】
本発明は上記従来の問題点を解決するとともに、施工性が良く、工期は短期間で済み、また、天候に影響されずに製作、施工が行え、製品の品質管理、および施工管理が容易かつ確実になり、また、製作および組付けには、熟練、未熟練を問わず、容易かつ確実に行え、さらには、製作費、工事費、資材費が安価なコンクリート躯体の嵩上げブロックを提供することを目的とする。
【課題を解決するための手段】
【０００５】
本発明は上記課題に鑑みてなされ請求項１に記載の発明は、（イ）コンクリートにより
正面略矩形の嵩上げブロック主体が形成され、該嵩上げブロック主体は、下端部に既設の
コンクリート躯体の上端に載置されて固着される固着手段が、複数個設けられ、
（ロ）前記固着手段が、
背面および下面が開設されて前記嵩上げブロック主体の下端に複数個が凹設された操作
凹部と、
平面長円形のボルト挿通孔を有し、前記操作凹部に前記コンクリート躯体の上端に重合
可能に設けられる取付板と、
前記操作凹部の左右の側壁部内に縦杆部が埋設可能に前記取付板の左右に対向して設け
られた側面略Ｌ形、または側面略コ形の支持杆と、
前記ボルト挿通孔内に雄ねじ部が挿通されて先端部が前記コンクリート躯体の上端に螺
入される取付ボルトと、により形成されている、
（ハ）ことを特徴とする。
【０００６】
また、本考案の請求項２に記載の発明は、請求項１において、前記嵩上げブロック主体が、下端部に前記コンクリート躯体の幅方向の厚さに略等しいか、または、前記コンクリート躯体の幅方向の厚さよりも僅かに小寸の、厚さに形成された厚肉基端部と、該厚肉基端部の上側には前記嵩上げブロック主体の大部分を占めて形成され、かつ前記厚肉基端部より厚さが薄く、均質の厚みにて形成された薄肉部と、により断面略Ｌ形に形成されていることを特徴とする。
【０００７】
また、本発明の請求項３記載の発明は、請求項１、または２において、前記嵩上げブロック主体は、上端部が長手方向に所望の嵩上げ高さにて切断可能に設けられていることを特徴としている。
【０００８】
また、本発明の請求項４記載の発明は、請求項１〜３の何れかにおいて、前記嵩上げブロック主体は、長手方向の前端部、または後端部の、少なくとも何れか一方が、切断可能に設けられることにより、長さが調整されることを特徴としている。
【０００９】
また、本発明の請求項５記載の発明は、請求項１〜４の何れか１の請求項において、前記嵩上げブロック主体相互は、組付け時に、前記嵩上げブロック主体の対向端相互がゴム製の粘着テープ、又は接着剤を介して接続されることを特徴とする。
【００１１】
また、本発明の請求項６記載の発明は、請求項１〜５の何れか１の請求項において、前
記操作凹部が、前記コンクリート躯体の上端に前記嵩上げブロック主体を前記固着手段を
用いて固着後に、セメントモルタル、またはアスファルト、樹脂コンクリートの何れかを
用いて埋め込まれることを特徴とする。
【発明の効果】
【００１２】
本発明は上記課題に鑑みてなされ、請求項１に記載の発明によれば、コンクリートによ
り正面略矩形の嵩上げブロック主体が形成され、該嵩上げブロック主体は、下端部に既設
のコンクリート躯体の上端に載置されて固着される固着手段が、複数個設けられ、前記固
着手段が、背面および下面が開設されて前記嵩上げブロック主体の下端に複数個が凹設さ
れた操作凹部と、平面長円形のボルト挿通孔を有し、前記操作凹部に前記コンクリート躯
体の上端に重合可能に設けられる取付板と、前記操作凹部の左右の側壁部内に縦杆部が埋
設可能に前記取付板の左右に対向して設けられた側面略Ｌ形、または側面略コ形の支持杆
と、前記ボルト挿通孔内に雄ねじ部が挿通されて先端部が前記コンクリート躯体の上端に
螺入される取付ボルトと、により形成されているので、擁壁、護岸等の既設のコンクリー
ト躯体の上端の嵩上げを行うには、工場にて予めコンクリートにより正面略矩形に成形さ
れた嵩上げブロック主体を既設のコンクリート躯体の上端に載置し、嵩上げブロック主体
の下端部の取付基端部に設けられた複数個の固着手段の操作凹部の背面の開口部から取付
ボルトをコンクリート躯体の上端に重合されている取付板に設けた平面長円形のボルト挿
通孔内に挿入し、ラチェットのような工具により取付ボルトを回動操作して先端の雄ねじ
部をコンクリート躯体の上端部に螺入することにより、既設のコンクリート躯体の上端に、嵩上げブロック主体を効率良く固着することができるため、施工性が良く、工期は短期間で済む。また、天候に影響されずに製作、施工が行え、製品の品質管理、および施工管理が容易かつ確実になり、また、製作および組付けには、熟練、未熟練を問わず、容易かつ確実に行え、さらには、製作費、工事費、資材費が安価になる。また、本発明の請求項１記載の発明によれば、嵩上げブロック主体は、前記コンクリート躯体の幅方向の厚さに略等しいか、または、前記コンクリート躯体の幅方向の厚さよりも僅かに小寸の、厚さに形成された厚肉基端部を下端部に形成し、この厚肉基端部の上側には前記嵩上げブロック主体の大部分を占めて形成され、かつ前記厚肉基端部より厚さが薄く、均質の厚みにて形成された薄肉部が形成されているため、嵩上げブロック主体の下端部における取付基端部に設けられた複数個の固着手段により安定に、かつ構造堅牢に既設のコンクリート躯体の上端に、嵩上げブロック主体を載置し、固着することができる。
【００１３】
また、本考案の請求項２に記載の発明によれば、前記嵩上げブロック主体が、下端部に前記コンクリート躯体の幅方向の厚さに略等しいか、または、前記コンクリート躯体の幅方向の厚さよりも僅かに小寸の、厚さに形成された厚肉基端部と、該厚肉基端部の上側には前記嵩上げブロック主体の大部分を占めて形成され、かつ前記厚肉基端部より厚さが薄く、均質の厚みにて形成された薄肉部と、により断面略Ｌ形に形成されているので、擁壁、護岸等の既設のコンクリート躯体の上端の嵩上げは、工場にて予めコンクリートにより正面略矩形に成形された嵩上げブロック主体を既設のコンクリート躯体の上端に載置し、嵩上げブロック主体の下端部に設けられた複数個の固着手段を用いて既設のコンクリート躯体の上端に、嵩上げブロック主体を効率良く固着することができるが、嵩上げブロック主体は、前記コンクリート躯体の幅方向の厚さに略等しいか、または、前記コンクリート躯体の幅方向の厚さよりも僅かに小寸の、厚さに形成された厚肉基端部を下端部に形成し、この厚肉基端部の上側には前記嵩上げブロック主体の大部分を占めて形成され、かつ前記厚肉基端部より厚さが薄く、均質の厚みにて形成された薄肉部が形成されているため、安定に、かつ構造堅牢に既設のコンクリート躯体の上端に、嵩上げブロック主体を載置し、固着することができる。
【００１４】
また、本発明の請求項３記載の発明によれば、前記嵩上げブロック主体は、上端部が長手方向に所望の嵩上げ高さにて切断可能に設けられているので、擁壁、護岸等の既設のコンクリート躯体の上端の嵩上げを行うのに、施工現場毎に異なる既設のコンクリート躯体の設置高さに対して、嵩上げブロック主体の嵩上げ高さを迅速かつ確実に調整することができる。
【００１５】
また、本発明の請求項４記載の発明によれば、前記嵩上げブロック主体は、長手方向の前端部、または後端部の、少なくとも何れか一方が、切断可能に設けられることにより、長さが調整されるので、施工現場毎に異なる既設のコンクリート躯体の設置長さに対して、嵩上げブロック主体の敷設長さを迅速かつ確実に調整を行うことができる。
【００１６】
また、本発明の請求項５記載の発明によれば、前記嵩上げブロック主体相互は、組付け時に、前記嵩上げブロック主体の対向端相互がゴム製の粘着テープ、又は接着剤を介して接続されるので、施工性が良く、嵩上げブロック主体相互は密接して一体的に接合することができ、水密性を維持でき、漏水を防止することができる。
【００１９】
また、本発明の請求項６記載の発明によれば、前記操作凹部が、前記コンクリート躯体
の上端に前記嵩上げブロック主体を前記固着手段を用いて固着後に、セメントモルタル、
またはアスファルト、樹脂コンクリートの何れかを用いて埋め込まれるので、既設のコン
クリート躯体の上端に嵩上げブロック主体を固着するための固着手段として、コンクリー
ト躯体の上端に、載置される取付板のボルト挿通孔内に螺入される取付ボルトの頭部を収
容し、回動操作するための操作凹部はセメントモルタル、またはアスファルト、樹脂コン
クリートの何れかを用いて埋め込まれる。従って、既設のコンクリート躯体の上端に嵩上
げブロック主体を固着後に、不用意に取付ボルトが緩んだり、取付ボルトを悪戯に緩ませ
るのを防止し、安全に既設のコンクリート躯体の上端に嵩上げブロック主体を固着するこ
とができる。また、取付ボルトに錆を生じて腐食するのを防止することができる。
【発明を実施するための最良の形態】
【００２０】
以下、図面に従って本発明を実施するための最良の形態ににつき、詳細に説明する。
【００２１】
図１は本発明のコンクリート躯体の嵩上げブロックの実施形態であり、敷設状態を示す背面図、図２は同じく本発明のコンクリート躯体の嵩上げブロックの実施形態を示す拡大背面図、図３は同じく図２のＡ−Ａ拡大断面、図４は同じく図２のＢ−Ｂ拡大断面、図５は同じく本実施形態を構成する取付板を示す背面図、図６は同じく取付板の側面図、図７は同じく取付板の平面図である。
【００２２】
本実施形態は、コンクリートにより正面略矩形の嵩上げブロック主体１が形成され、該嵩上げブロック主体１は、下端部に既設のコンクリート躯体２の上端２ａに載置されて固着される固着手段３が、複数個、例えば図示では４個が設けられているが、これは例示であり、図示するものに限らず、その増減変更は自由に行える。
【００２３】
前記嵩上げブロック主体１が、工場にて例えば強化繊維、例えば高強力、高弾性のアラミド繊維、またはガラス繊維、炭素繊維入りのプレキャストコンクリートにより形成される。そして、前記嵩上げブロック主体１が、下端部に前記コンクリート躯体２の幅方向Ｗの厚さＴ１に略等しいか、または、前記コンクリート躯体２の幅方向Ｗの厚さＴ１よりも僅かに小寸の、厚さＴ′１に形成された厚肉基端部１ａと、該厚肉基端部１ａの上側には前記嵩上げブロック主体１の大部分を占めて形成され、かつ前記厚肉基端部１ａより厚さＴ２が薄く、均質の厚みにて形成された薄肉部１ｂと、により断面略Ｌ形に形成されている（図４参照）。
【００２４】
また、前記嵩上げブロック主体１は、図１に示す想像線イに示すように、上端部が長手方向Ｘに所望の嵩上げ高さＨ１にて切断可能に設けられている。このように、前記嵩上げブロック主体１は、上端部が長手方向Ｘに所望の嵩上げ高さＨ１にて切断可能に設けられるのは、擁壁、護岸等の既設のコンクリート躯体２の上端の嵩上げを行うのに、施工現場毎に異なる既設のコンクリート躯体２の設置高さＨ２に対して、嵩上げブロック主体１の嵩上げ高さＨ１を迅速かつ確実に調整するためである。前記嵩上げブロック主体１の、上述の上端部の切断には、例えば駆動源としてエンジンにより回転駆動される超硬金属、またはダイヤモンドにより刃部が設けられた正面略円形のカッタ（図には示さない）を用いて切断を行う。
【００２５】
そして、前記嵩上げブロック主体１の具体的な大きさは、例えば嵩上げブロック主体１の長手方向Ｘの長さｌが、９９８ｍｍ、嵩上げブロック主体１の上端部を長手方向Ｘに切断して嵩上げ高さＨ１の調整前の高さＨが２７０ｍｍ、前記肉厚基端部１ａの厚さＴ１が７５ｍｍ、薄肉部１ｂの厚さＴ２が５０ｍｍのものと、例えば長手方向Ｘの長さｌが、９９８ｍｍ、嵩上げ高さＨ１の調整前の高さＨが４２０ｍｍ、前記肉厚基端部１ａの厚さＴ１が７５ｍｍ、薄肉部１ｂの厚さＴ２が５０ｍｍのものと、の２種があるが、これは代表的例示であり、寸法の増減変更は自由に行える。
【００２６】
また、前記嵩上げブロック主体１は、長手方向Ｘの前端部、または後端部の、少なくとも何れか一方が、切断可能に設けられることにより、敷設長さＬ１が調整されるので、施工現場毎に異なる既設のコンクリート躯体２の設置長さＬ２に対して、嵩上げブロック主体１の敷設長さＬ１を迅速かつ確実に調整を行うことができる。
【００２７】
前記既設のコンクリート躯体２は、図示する実施形態では、Ｌ形擁壁ブロックが示されているが、これに限ることなく、図には示さないが、例えば勾配可変形のブロック、護床ブロック、基礎コンクリート構築物から形成されるコンクリート躯体が挙げられる。
【００２８】
前記固着手段３が、背面正面および下面が開設されて前記取付基端部１ａに複数個が凹設された操作凹部４と、平面長円形のボルト挿通孔５ａを有し、前記操作凹部４に前記コンクリート躯体２の上端に重合可能に設けられる取付板５と、前記操作凹部４の左右の側壁部４ａ,４ｂ内に縦杆部５ｂ,５ｂが埋設可能に前記取付板５の左右に対向して設けられた図６に示すような側面略Ｌ形、または図には示さない側面略コ形の支持杆６と、前記ボルト挿入孔５ａ内に雄ねじ部７ａが挿通されて先端部が前記コンクリート躯体２の上端部の内部に設けられたインサートＩ内に螺入される取付ボルト７と、により形成されている。前記縦杆部５ｂ,５ｂを有する前記支持杆６は、例えばＤ６鉄筋を用いて形成される。そして、前記縦杆部５ｂ,５ｂの左右の側壁部４ａ,４ｂに対する埋め込み長さは７５ｍｍであるが、これらの数値の増減変更は自由に行える。
また、前記取付ボルト７は、Ｍ１２のボルトが使用される。また、前記取付板５は、鉄板、または鋼板、ステンレス板の何れかが使用される。また、前記インサートＩは、Ｍ１２を用い、その埋込み長さは例えば６４ｍｍ、８６ｍｍの２通りをであるが用意されるが、長くすれば構造堅牢になる。
【００２９】
また、前記操作凹部４が、前記コンクリート躯体２の上端２ａに前記嵩上げブロック主体１を前記固着手段３を用いて固着後に、セメントモルタル８、またはアスファルト、樹脂コンクリートの何れかを用いて埋め込まれる。このように、前記操作凹部４を、前記コンクリート躯体２の上端２ａに前記嵩上げブロック主体１を前記固着手段３を用いて固着後に、セメントモルタル８、またはアスファルト、樹脂コンクリートの何れかを用いて埋め込むようにしたのは、既設のコンクリート躯体２の上端２ａに嵩上げブロック主体１を固着する固着手段３として、コンクリート躯体２の上端２ａに、載置される取付板５のボルト挿通孔５ａ内に螺入される取付ボルト７の頭部７ｂを収容し、回動操作するための操作凹部４はセメントモルタル８、またはアスファルト、樹脂コンクリートの何れかを用いて埋め込むことにより、既設のコンクリート躯体２の上端２ａに嵩上げブロック主体１を固着後に、不用意に取付ボルト７が緩んだり、取付ボルト７を悪戯に緩ませるのを防止し、安全に既設のコンクリート躯体２の上端２ａに嵩上げブロック主体１を固着するのと、取付ボルト７に錆を生じて腐食するのを防止するためである。
【００３０】
また、前記嵩上げブロック主体１,１・・・相互は、組付け時に、前記嵩上げブロック主体１,１・・・の対向端相互がゴム製の粘着テープ９、又は接着剤を介して接続される。このように、前記嵩上げブロック主体１,１・・・相互を、組付け時に、前記嵩上げブロック主体１,１・・・の対向端相互がゴム製の粘着テープ９、又は接着剤を介して接続するようにしたのは、嵩上げブロック主体１,１・・・相互を密接して一体的に接合することにより、水密性を維持でき、漏水を防止するためである。
【００３１】
本実施形態のコンクリート躯体の嵩上げブロックは以上の構成からなり、例えば地盤の沈下、または宅地の増設、区画整理等の地理的状況の変更により擁壁等の既設のコンクリート躯体２の上端２ａの嵩上げを行うには、工場にて例えばプレキャストコンクリートのようなコンクリートにより正面略矩形に成形された嵩上げブロック主体１,１・・・を既設の擁壁のようなコンクリート躯体２の上端２ａに連続して載置し、各嵩上げブロック主体１の下端部に設けられた複数個、図示する実施形態では４個の固着手段３を用いて既設のコンクリート躯体２の上端２ａに、嵩上げブロック主体１,１・・・を連続して固着して行く。
【００３２】
これには、先ず、前記嵩上げブロック主体１の上端部を、例えば駆動源としてエンジンにより回転駆動される超硬金属、またはダイヤモンドにより刃部が設けられた正面略円形のカッタ（図には示さない）を用いて長手方向Ｘに図２の想像線イに示す位置にて切断し、所望の嵩上げ高さＨ１に調整する。
【００３３】
このように、前記嵩上げブロック主体１の上端部が長手方向Ｘに所望の嵩上げ高さＨ１にて切断されるのは、擁壁、護岸等の既設のコンクリート躯体２の上端２ａの嵩上げを行うのに、施工現場毎に異なる既設のコンクリート躯体２の設置高さＨ２に対して、嵩上げブロック主体１の嵩上げ高さＨ１を迅速かつ確実に調整するためである。
【００３４】
次いで、正面略矩形に成形された嵩上げブロック主体１を既設のコンクリート躯体２の上端２ａに載置し、嵩上げブロック主体１の下端の厚肉基端部１ａに設けられた複数個、本実施形態では４個の固着手段３における操作凹部４の背面の開口部から取付ボルト７をコンクリート躯体２の上端に重合されている取付板５に設けられた平面長円形のボルト挿通孔５ａ内に挿入し、ラチェットのような工具により取付ボルト７を操作凹部４内において回動操作して先端の雄ねじ部７ａをコンクリート躯体２の上端部の内部に設けたインサートＩ内に螺入することにより、既設のコンクリート躯体２の上端２ａに、嵩上げブロック主体を効率良く固着することができる。
【００３５】
この際、前記嵩上げブロック主体１が、図４に示すように下端部に前記コンクリート躯体２の幅方向Ｗの厚さＴ３に略等しい厚さＴ１か、または、前記コンクリート躯体２の幅方向Ｗの厚さＴ３よりも僅かに小寸の、厚さＴ′１に形成された厚肉基端部１ａと、該厚肉基端部１ａの上側には前記嵩上げブロック主体１の大部分を占めて形成され、かつ前記厚肉基端部１ａより厚さＴ２が薄く、均質の厚みにて形成された薄肉部１ｂと、により断面略Ｌ形に形成されているので、嵩上げブロック主体１は、安定に、かつ構造堅牢に既設のコンクリート躯体２の上端２ａに、嵩上げブロック主体１を載置し、固着することができる。また、嵩上げブロック主体１は、厚肉基端部１ａと、該厚肉基端部１ａの上側には前記嵩上げブロック主体１の大部分を占め、かつ前記厚肉基端部１ａより厚さＴ２が薄く、均質の厚みにて形成された薄肉部１ｂと、により断面略Ｌ形に形成されているので、軽量化され、運搬、施工は容易である。
【００３６】
そして、前記コンクリート躯体２の上端２ａに前記嵩上げブロック主体１を前記固着手段３を用いて固着後に、セメントモルタル８、またはアスファルト、樹脂コンクリートの何れかを用いて取付ボルト７の頭部７ｂを収容し、ラチェツトのような工具を用いて回動操作するための操作凹部４は埋め込まれて外部に露出されないので、既設のコンクリート躯体２の上端２ａに嵩上げブロック主体１を固着後に、不用意に取付ボルト７が緩んだり、取付ボルト７を悪戯に緩ませるのを防止でき、安全であり、かつ構造堅牢に既設のコンクリート躯体２の上端２ａに嵩上げブロック主体１を固着できる。しかも、取付ボルト７が錆を生じて腐食するのを防止することができる。
【００３７】
上記のような操作手順を繰り返して行うことにより、既設のコンクリート躯体２の上端２ａに、複数個、例えば４個の固着手段３を用いて嵩上げブロック主体１,１・・・を順次、連続して固着することができる。
【００３８】
この際、前記嵩上げブロック主体１,１・・・相互は、例えば図１に示すような組付け時に、前記嵩上げブロック主体１,１・・・の対向端相互がゴム製の粘着テープ９、又は接着剤を介して接続されるので、嵩上げブロック主体１,１・・・相互は密接して一体的に接合されることにより、水密性を維持でき、漏水が防止される。
【００３９】
また、前記嵩上げブロック主体１は、長手方向Ｘの前端部、または後端部の少なくとも何れか一方を、前述の例えば駆動源としてエンジンにより回転駆動される超硬金属、またはダイヤモンドにより刃部が設けられた正面略円形のカッタ（図には示さない）を用いて切断することにより、長さが調整されるので、施工現場毎に異なる既設のコンクリート躯体２の設置長さＬ２に対して、嵩上げブロック主体１,１・・・の敷設長さＬ１を迅速かつ確実に調整することができる。
【００４０】
こうして、擁壁のような既設のコンクリート躯体２の上端２ａに多数の嵩上げブロック主体１,１・・・を複数個の固着手段３を用いて順次、連続して固着することにより所望の嵩上げ高さＨ１にて嵩上げを行うことができる。
【００４１】
このように、複数個の固着手段３を用いて既設のコンクリート躯体２の上端２ａに固着されて嵩上げされた多数の嵩上げブロック主体１,１・・・の強度を、実験により検証した結果、インサートＩに螺入された取付ボルト７の引き抜き試験は、最大荷重について加圧機自体の許容値として１６０００（Ｎ）程度を加圧したが、インサートＩから取付ボルト７は引き抜かれず、破壊も生じなかった。
【００４２】
そして、本実施形態では、前記固着手段３が、背面正面および下面が開設されて前記取付基端部１ａに複数個が凹設された操作凹部４の左右の側壁部４ａ,４ｂ内に縦杆部５ｂ,５ｂが埋設された図６に示すような側面略Ｌ形、または図には示さない側面略コ形の支持杆６は、鉄筋にて形成されるのと、この支持杆６が左右に設けられる取付板５は鉄板、鋼板、ステンレス板のうちの何れかにて形成されるのと、この取付板５に設けられたボルト挿入孔５ａに取付ボルト７が挿通されて螺入されているインサートＩは既設のコンクリート躯体２の上端部の内部に埋込み長さが例えば６４ｍｍ、または８６ｍｍにて埋め込まれているので、曲げモーメント、剪断に対して高い抗性を発揮し、構造堅牢である。
【００４３】
そして、本実施形態では、既設のコンクリート躯体２の上端２ａの嵩上げを行うのに、工場にて予めコンクリートにより正面略矩形に成形された嵩上げブロック主体１,１・・・を既設のコンクリート躯体２の上端２ａに載置し、嵩上げブロック主体１,１・・・の下端部に設けられた複数個の固着手段３を用いて既設のコンクリート躯体２の上端２ａに、嵩上げブロック主体１,１・・・を固着するものであり、既設のコンクリート躯体２の上端２ａの嵩上げを行うのに、施工現場にて既設のコンクリート躯体の表面（上端部）に、天端勾配に合わせて型枠板を対向して組立てる組立作業と、コンクリート躯体の表面に立設される多数の差筋に横筋を配筋するという鉄筋の配筋作業と、前記型枠板間に形成されるコンクリート打設空隙部内に生コンクリートを打設する生コンクリートの打設作業と、生コンクリートを養生、固化させる養生、固化作業と、生コンクリートの養生、固化後の剥型作業と、型枠板の分解作業と、嵩上げされたコンクリート躯体の表面仕上げ作業と、の幾多の工程、労作を必要として、施工には長い工期を必要とし、工事費もかなりかかり、また、生コンクリートを施工現場にて打設するのに、天候に影響を受け易く、しかも、できあがる製品の品質を一定に保証するための品質管理や表面仕上げ等、施工管理が難しく、さらには、型枠板を組立てたり、分解するのに、特殊の技能を有する型枠工等による熟練を必要としている特許文献１に記載の上記従来のコンクリート躯体の嵩上げ工法とは異なり、施工性が良く、既設のコンクリート躯体２の嵩上げが行え、工期は短期間で済む。また、嵩上げブロック主体１は、プレキャストコンクリートにより工場にて成形されるので、天候に影響されずに製作、施工が行え、また、製品の品質管理、および施工管理が容易かつ確実になる。また、製作および組付けには、熟練、未熟練を問わず、容易かつ確実に行え、さらには、製作費、工事費、資材費が安価になる。
【００４４】
図示する上記実施形態では、嵩上げブロック主体１の断面形状が、下端部に前記コンクリート躯体２の幅方向Ｗの厚さＴ３に略等しい厚さＴ１か、または、前記コンクリート躯体２の幅方向Ｗの厚さＴ３よりも僅かに小寸の、厚さＴ′１に形成された厚肉基端部１ａと、該厚肉基端部１ａの上側には前記嵩上げブロック主体１の大部分を占めて形成され、かつ前記厚肉基端部１ａより厚さＴ２が薄く、均質の厚みにて形成された薄肉部１ｂと、により断面略Ｌ形に形成されたものにつき代表的に説明されているけれども、これは例示であり、図には示さないが、嵩上げブロック主体１の断面形状が、下端部に前記コンクリート躯体２の幅方向Ｗの厚さＴ３に略等しい厚さＴ１か、または、前記コンクリート躯体２の幅方向Ｗの厚さＴ３よりも僅かに小寸の、厚さＴ′１に形成された厚肉基端部１ａと、該厚肉基端部１ａの上側には前記嵩上げブロック主体１の大部分を占めて形成され、かつ前記厚肉基端部１ａより厚さＴ２が薄く、均質の厚みにて形成された薄肉部１ｂと、により断面略Ｉ形に形成されたものでもよい。
【００４５】
また、図示する上記実施形態では、既設のコンクリート躯体２の上端２ａに載置されて固着される固着手段３が、嵩上げブロック主体１の下端部に複数個、例えば４個が設けられているが、これは例示であり、図示するものに限らず、その増減変更は自由に行える。
【００４６】
また、図示する上記実施形態では、前記固着手段３が、背面および下面が開設されて前記取付基端部１ａに複数個が凹設された操作凹部４の左右の側壁部４ａ,４ｂ内に埋設された縦杆部５ｂ,５ｂを左右に有する取付板５のボルト挿入孔５ａ内から取付ボルト７を既設のコンクリート躯体２の上端部内に設けたインサートＩ内に螺入するようにして既設のコンクリート躯体２の上端２ａに嵩上げブロック主体１,１・・・を固着して嵩上げを行うようにしているが、固着手段３は、インサートＩ内に螺入される取付ボルト７を用いることなく、図には示さないが取付ボルト７を既設のコンクリート躯体２の上端部に上向きにその基端部を埋設し、それから、取付ボルト７を取付板５のボルト挿通孔５ａ内に下方から挿入後にナット（図には示さない）を取付ボルト７の雄ねじ部７ａに螺合し、締結することにより、既設のコンクリート躯体２の上端２ａに嵩上げブロック主体１,１・・・を固着して嵩上げを行うようにしても良い。
【産業上の利用可能性】
【００４７】
本発明は、施工性が良く、工期は短期間で済み、また、天候に影響されずに製作、施工が行え、製品の品質管理、および施工管理が容易かつ確実になり、また、製作および組付けには、熟練、未熟練を問わず、容易かつ確実に行え、さらには、製作費、工事費、資材費が安価な用途・機能に適する。
【図面の簡単な説明】
【００４８】
【図１】図１は本発明のコンクリート躯体の嵩上げブロックの実施形態であり、敷設状態を示す背面図である。
【図２】図２は同じく本発明のコンクリート躯体の嵩上げブロックの実施形態を示す拡大背面図である。
【図３】図３は同じく図２のＡ−Ａ拡大断面である。
【図４】図４は同じく図２のＢ−Ｂ拡大断面である。
【図５】図５は同じく本実施形態を構成する取付板を示す背面図である。
【図６】図６は同じく取付板の側面図である。
【図７】図７は同じく取付板の平面図である。
【符号の説明】
【００４９】
１      嵩上げブロック主体
１ａ    厚肉基端部
１ｂ    薄肉部
２      コンクリート躯体
３      固着手段
４      操作凹部
５      取付板
５ａ    ボルト挿通孔
６      支持杆
７      取付ボルト
８      セメントモルタル
９      粘着テープ
Ｈ１    嵩上げ高さ
Ｈ２    設置高さ
Ｉ      インサート
Ｌ１    敷設長さ
Ｌ２    設置長さ
Ｔ１    厚さ
Ｔ′１  厚さ
Ｔ２    厚さ
Ｔ３    厚さ
【図１】
0004933489.tif 000002
【図２】
0004933489.tif 000003
【図３】
0004933489.tif 000004
【図４】
0004933489.tif 000005
【図５】
0004933489.tif 000006
【図６】
0004933489.tif 000007
【図７】
0004933489.tif 000008